Podtech/llm-jp-corpus-v4-ja_patent huggingface dataset:
(57)【要約】      （修正有）【課題】爪の手入れをする際に両手を使用したり他人の手を借りる必要がないオートネイルクリーナの提供。【解決手段】指先を指置き台１２に置き削ぎ矢１０により爪の甘皮を削ぎ落とす作業及び爪の表面を研磨する作業を自動化する。【選択図】図１
2006043383.tif 000002
【特許請求の範囲】
【請求項１】
指を固定する手段と、該指の爪に対して複数の作業を自動的に行うことを特長とする、爪手入れ装置。
【請求項２】
爪に対する複数の作業で、少なくとも甘皮削ぎ及び爪磨き作業である請求項１に記載の、爪手入れ装置。
【発明の詳細な説明】
【実施例】
【０００１】以下本発明の実施形態に付いて詳細に説明する。
詳細図１は、本発明の特長を表す為に横から見た図である。
１は台、２は円板であるがアーム状のものでも良い、３はその中心に位置する支持軸であり、円板２は３の支持軸と固定されていて、支持軸３を中心に回転可能となっている。
４は円板２と支持軸３の支持板であり支持軸３が貫通する構造になっている、５はギヤードモーターであり支持軸３を介して円板２を必要回転方向及び必要回転量に動かす役目を持つ。
６は台１に内臓された制御機であり、モーター５は制御機６により制御される。
支持板４は台１上に置かれ図１における左右方向に移動可能な構造となっておりこれはリニアモーター７により行われ制御機６により制御される。８は磨きバフであり、９は磨きバフを駆動するモーターである。モーター９は制御機６により駆動を制御され磨きバフ８に回転を与える。１０は甘皮削ぎ矢であり、１１は角度調整機構でありギヤ−及びモーターから構成され、そのモーターは制御機６により制御される。制御機６により制御された該モータは角度調整機構１１により削ぎ矢１０の角度を図１示した矢印の方向に変化出きるようになっている。１２は、台１に固定された指置き台であり、１３は指置き台１２に乗せた人の指で１４は爪である。１５は指置き位置を決めるレーザー光発射機である、１６は指固定バンドでありレーザー光１５で指定された位置に指を置きその指を固定する。１７は指固定バンドの動作を始動させるスイッチである。１８は本機をスタートさせるスイッチである。
スイッチ１７、スイッチ１８は制御機６に接続され、指固定バンド１６は制御機６により制御される。【０００２】本機の使用時における動作の詳細を説明する
手入れをする対象の爪１４を持つ指１３を指置き台１２に乗せる、この時レーザー光１５の示すポイントに爪と皮膚の境目を合わせ、１７のスイッチを押すことにより指固定バンド１６が指１３を最良の位置に固定する。指１３が指置き台１２に固定された後に、制御機６の指示によりギヤードモーター５と角度調整機構１１及びリニアモーター７を動作させ削ぎ矢１０により、爪１４の甘皮を削ぎ落とす作業を行う。この作業は各アクチュエータ指置き台１２の上の爪１４の位置を検知して正確に早く動作するものである、検知は光学的センサ超音波センサ、赤外線センサなどを用いて行う事が可能で所望の確度によりその方法は選択される。
次に円板２が回転し、バフ８が削ぎ矢１０の位置に置き換わり爪１４の表面を研磨する。
その２つの作業時に、丸みを帯びた爪の表面に沿って削ぎ矢１０の場合約９０度、バフ８の場合約１２０度の角度の範囲内において反復動作をさせることにより磨き斑を無くすよう制御機６が制御する。
【背景技術】
【０００３】従来使用されている物は小型にして簡単な手持ち型で  しかも自分の片手でもう一方の手の指をかなり集中して処理するか、又は他人の手を借りる必要があった。
【発明が解決しようとする課題】
【０００４】上記従来の例では手作業であるが由に、手間，時間、根気がかなり必要とした、しかも仕上がりが均一ではないと言う課題。
【課題を解決する手段】
【０００５】本発明は、甘皮削ぎ機構及び爪磨き機構を備え、自動的に爪の手入れ化粧を行うようにした物である。
【発明の効果】
【０００６】本手段を用いることにより、上記欠点を克服できた
１  医療  食料品加工  店舗窓口等でマニキュア塗付の禁止されている業種がある、それらの職業に働く者に何時も指先を美しく働いて貰う為に供する。
２  薬品に弱くマニキュアなどの使えない者、水仕事などで何時も指先の荒れている者、諸検査に携わる者でマニキュアを禁止されている者、等々に供する。
３  一定期間の繰り返し使用により角質皮を除去しマッサージ効果によりささくれ防止の効果がある。
【図面の簡単な説明】
【０００７】
【図１】図１は爪の磨きを自動化した機器
【符号の説明】
【０００８】１は本機の土台たる台である。
２は本機の機能の甘皮削ぎ及び爪磨き、機構を切り替える装置。
３は上記２の機構を、支持すると共に作動させるための軸である。
４は機構を支える支持板である。
５は上記２を作動させるモーターである。
６は本機の作動を司る制御部である。
７は爪の位置と甘皮削ぎ矢及び爪磨き機構の位置の整合をとるリニアモーターである。
８は爪を磨くバフである。
９は上記バフを回転するモーターである。
１０は甘皮を削ぎ落とす削ぎ矢である。
１１は上記削ぎ矢を作動するモーターである。
１２は指を乗せる台である。
１３は指である。
１４は爪である。
１５は指を一定の場所にセットする為の、レーザー光発射機である。
１６は上記でセットされた指を動かないように固定するバンドである。
１７は上記固定バンドを作動させるスイッチである。
１８は本機をスタートさせるスイッチである。
【図１】
2006043383.tif 000003
(57)【要約】【課題】  従来の食器は食器洗い機に乱雑に入れると、きれいに洗浄できないことがあった。【解決手段】  食器の縁の部分の厚みを薄くし、食器洗い機に並べて入れると食器同士の隙間が広くなり、水が隙間から入りやすくなることにより、きれいに洗浄できる。【選択図】図２
2006043386.tif 000002
【特許請求の範囲】
【請求項１】
食器の縁に近い部分の厚みを薄くして形状を工夫することで、食器洗い機に並べた際に、水が食器にかかりやすい形状にした食器。
【発明の詳細な説明】
【技術分野】
【０００１】  本発明は、食器に関するものである。
【背景技術】
【０００２】  従来の食器の大部分は、食器洗い機への対応は特別には考慮されていなかった。同形の食器を並べた場合に、水が食器同士の間にできる隙間から入り込んでいかず、洗い残しがおきることがあった。食器洗い機に入れた際、水が食器同士の隙間から奥へ入る幅は、開口部が狭く、奥へいくほど広くなりがちであった。
【発明の開示】
【発明が解決しようとする課題】
【０００３】  本発明は、このような従来の構成が有していた問題を解決しようとするものであり、形状を工夫して、食器洗い機仕切り５に皿を立てた際に、水が内側に入り込みやすい食器を提供することを目的とするものである。つまり、水が食器通しの隙間から奥へ入る幅は、開口部が広く、奥へいくほど狭くなっていき、水が流れ込みやすい食器を提供する。
【課題を解決するための手段】
【０００４】  本発明は上記目的を達成するために、食器の形状を、同形の食器を並べた場合に横から水が入り込みやすいものとする。
【発明の効果】
【０００５】  上述したように本発明は、食器洗い機を使用して食器が効率的に洗浄できるように形状を工夫したものである。
【発明を実施するための最良の形態】
【０００６】  本発明の実施の形態を図面に基づいて説明する。【０００７】  図１において同形の従来の食器１を食器洗い機仕切り５に立てた場合、食器同士の間にできる、開口部の隙間３は奥の隙間４よりも狭い。これを食器洗い機に並べて洗う際、水が十分に入り込んでいかず、乱雑に並べた場合等には十分に洗えないことがある。【０００８】  図２において食器洗い機対応食器２は、縁に近い部分を薄くし、従来の食器１よりも内側部分と外側部分を削り、水が入りやすい形状とする。点線は、従来の食器１の形状を表す。食器洗い機対応食器２を重ねた場合、食器同士の間に隙間ができる。このように形状を工夫することで、食器洗い機に食器洗い機対応食器２を立てて並べた場合、開口部の隙間３は奥の隙間４より広くなり、従来の食器１同士を並べた場合よりも水が入りやすくなる。【０００９】  図２の開口部の隙間３から矢印のように食器洗い機の水がより多く入ることになるので、洗浄の効率が上がる。
【図面の簡単な説明】
【００１０】
【図１】  従来の実施形態を示す食器断面図
【図２】  本発明の実施形態を示す食器洗い機対応食器断面図
【符号の説明】
【００１１】          １  従来の食器
２  食器洗い機対応食器
３  開口部の隙間
４  奥の隙間
５  食器洗い機仕切り
【図１】
2006043386.tif 000003
【図２】
2006043386.tif 000004
(57)【要約】【課題】  足などの身体の部分を暖める温砂足浴器具を提供する。【解決手段】  箱の底部に温熱装置を備え、箱内に砂を入れ、砂を温める、そのなかに入れた身体の一部分を暖めることを特徴とする温砂足浴器具である。【選択図】図２
2006043385.tif 000002
【特許請求の範囲】
【請求項１】
箱の底部に温熱装置を備え、箱内に砂を入れ、砂を温めることを特徴とする温砂足浴器具。
【発明の詳細な説明】
【技術分野】
【０００１】  本発明は、箱の底に温熱装置を備え、箱内に砂を入れて、その中で足などの身体の部分を暖める温砂足浴器具に関するものである
【技術背景】
【０００２】  従来、温泉地やリゾート地などに砂風呂が設置されている。また、足や手など身体の部分を暖める、あるいはマッサージする温水浴などがある。
【発明の開示】
【発明が解決しようとする課題】
【０００３】  そのために、次のような問題点があった。
（イ）設備が大掛かりであるため、設備まで出向くことが必要であった。
（ロ）身体の大部分に熱や圧力が加わるため、身体機能の低下した状態では、身体への負担が大きく、健康障害の可能性があった。
（ハ）砂などと接する面積が大きいため、更衣などの準備が必要であった。
（ニ）施行中に、他の用件をすることができなかった。
（ホ）不特定多数での共用や、砂などの長期使用のために衛生管理が不十分になりがちであった。
本発明は、これらの問題点を解決するためになされたものである。
【課題を解決するための手段】
【０００４】  箱の底部に温熱装置を備え、箱内に砂を入れ、砂を温める、そのなかに入れた身体の一部分を暖めることを特徴とする温砂足浴器具である。
【発明の効果】
【０００５】  箱の底部の温熱装置によって安全で効果的な温度に調節された砂によって、身体の一部が暖められ血行が改善されるとともに、砂による皮膚表面の刺激によるマッサージ効果や、触感刺激による癒し効果が期待できる。
個人用の器具であるので、不潔感がなく、また、砂も少量であるので交換しやすく衛生的である。
器具が小型で、使用の準備や後片付けも容易で、また、操作が簡単であるため、幅広い年齢層の使用に対応できる。
また、室内で場所を制限せず設置できるので、他の用件（テレビの視聴、勉学など）を行いながらでも使用できる。
【発明を実施するための最良の形態】
【０００６】  以下、本発明の実施の形態について説明する。
（イ）箱の底部に温熱装置を設ける。
（ロ）箱の中に砂を入れる。
本発明は、以上のような構成で、これを使用するときは、温熱装置で箱の中の砂を暖め、その中に身体の一部（足や手など）を一定時間入れておくことで、身体の一部を暖める。
【図面の簡単な説明】
【０００７】
【図１】本発明の斜視図
【図２】本発明の一部を切り欠いた側面図
【符号の説明】
【０００８】        １  箱
２  温熱装置
３  砂
４  タイマー付スイッチ
【図１】
2006043385.tif 000003
【図２】
2006043385.tif 000004
(57)【要約】【課題】雑巾の面数を増やして枚数と水洗頻度を減らし、作業に連続性を持たせて時間短縮、水、洗剤の節約、体力の消耗を押さえ、梯子、脚立の上り下り、部屋の出入を減らして転落、衝突の恐れをなくし、ポケットでのゴミ回収を解消し、置忘れをなくして作業性、経済性、安全性、清潔性に優れ、使い易く便利な雑巾を提供する。【解決手段】雑巾２、３を重ね合わせ角７を挟む２辺４、５を縫合してできる開口部８と指貫孔９の働きで、外側面と内側面を滑らかに袋返せて四面が有効に繰返し使え、素材は綿、化学繊維、不織布、紙などで使い捨てに作られても良く、デザインは自在である。さらにハンカチ、タオルなどに実施し、育児、介護の清拭、入浴、下の世話などに使えて最適である。【選択図】図１
2006043359.tif 000002
【特許請求の範囲】
【請求項１】
雑巾を２枚重ね合わせ、角を挟む２辺を縫合してできる開口部を袋返して外側面と内側面の四面仕様になることを特徴とする雑巾。
【請求項２】
前記角は、指貫孔を設けてなることを特徴とする請求項１記載の雑巾。
【発明の詳細な説明】
【技術分野】
【０００１】  この発明は、人が清掃をするのに用いる雑巾の機能に関する。
【背景技術】
【０００２】  従来、雑巾の機能は、図２示すように、本体１は、四角に作られ部屋の床、窓、壁及び家具などに付着した汚れを拭取り、洗剤をつけて水で洗い流し繰り返して用いられるのが一般的で、今日では、清掃が事業として成立ち、内容、方法、用具、洗剤などが著しく進歩しているが、拭き掃除は清掃の基本で雑巾は欠かせない用具の一つである。
【発明の開示】
【発明が解決しようとする課題】
【０００３】  しかしながら、以上の技術によれば、本体１には表面と裏面しかなく連続して作業をするため複数用いているが、高い場所、広すぎる場所、汚れが酷い場所、水洗設備がない場所などでは水洗のため頻繁に作業を中断している。このため、作業時間、水、洗剤、体力等を必要以上に費やし、梯子、脚立の上り下り、部屋の出入等には転落、衝突の恐れがあり、ポケットでゴミを回収して不潔で置忘れがあった。【０００４】  そこで、この発明は、本体１の面数を増やし使用枚数、水洗頻度を減らして置忘れがなく、作業に連続性を持たせ時間の短縮、水、洗剤の節約、体力の消耗を押さえ、梯子、脚立の上り下り、部屋の出入等による転落、衝突の恐れを減らし、ポケットでゴミを回収することがなく作業性、経済性、安全性、清潔性に優れ、便利で使い易い雑巾を提供することを課題とする。
【課題を解決するための手段】
【０００５】  以上の課題を解決するために、第一発明は、雑巾を２枚重ね合わせ、角を挟む２辺を縫合してできる開口部を袋返して外側面と内側面の四面仕様になることを特徴とする雑巾。
また、第二発明は、縫合した２辺を挟む角に指貫孔を設けてなることを特徴とする雑巾。
【発明の効果】
【０００６】  第一発明、第二発明によれば、この雑巾は、四面仕様となるので使用枚数、水洗頻度が減り置忘れがなく、作業が連続して梯子、脚立の上り下り、部屋の入出が減る。これにより、作業時間の短縮、水、洗剤の節約、体力の消耗を押さえ、作業性、経済性、安全性に優れ、開口部にゴミを入れて回収できるので清潔性に優れ、指貫孔は、開口部を滑らかに袋返えせて使い易く便利である。
【発明を実施するための最良の形態】
【０００７】  この発明の一実施形態を、図１に示す。
この雑巾の本体１は布製であり、本体１は、雑巾２、３を重ね合わせて辺４、５を縫合して開口部８と角７に指貫孔９が設けられている。
【実施形態の効果】
【０００８】  この実施形態によれば、開口部８と指貫孔９の働きで、本体１は、滑らかに袋返えせて外側面と内側面の四面が使えて便利である。したがって、使用枚数、水洗頻度が減り置忘れがなく、作業が連続して時間短縮、水、洗剤の節約、体力の消耗を押さえ、梯子、脚立の上り下り、部屋の出入による転落、衝突の恐れが減り、ガラスなどの危険物を開口部８から素手で掴めて安全性に優れ、ゴミを開口部８に入れ回収できて衛生的である。
【０００９】  また、この発明は、ハンカチ、布巾、おしぼり、タオルなどに実施でき、例えてハンカチでは内側面で顔、外側面で手と分けて拭けるので機能的である。
さらに、網目及び編目地で作られたものは伸縮性、柔軟性、通気性に優れしなやかで、汚れや水気を効率的に拭き取れ、絞り易く、乾きが速く、特に、育児、介護に最適で清拭、入浴及び下の世話などでは繰返し使えて清潔、快適、且つ経済的である。
【他の実施形態】
【００１０】  図１の実施形態では、角を挟む２辺を縫合し指貫孔を設けているが、他の実施形態では、コの字型に縫合して３辺が挟む２つの角に指貫孔を設けたものでも良い。
【００１１】  図１の実施形態では、雑巾２枚を重ね合わせて縫合しているが、他の実施形態では、雑巾の中心線を折返し、これに隣接する２辺または１辺を縫合してできる角に指貫孔を設けたものでも良い。
【００１２】  図１の実施形態では、角を挟む２辺を縫合し指貫孔を設けているが、他の実施形態では、対角線または中心線の何れか１つを縫合して４面仕様とし指貫孔を設けていないものでも良い。
【００１３】  図１の実施形態では、角を挟む２辺を縫合し指貫孔を設けているが、他の実施形態では、相対する２辺の何れか一対を縫合して筒状にし指貫孔を設けていないものでも良い。
【００１４】  図１の実施形態では、角を挟む２辺を縫合し指貫孔を設けているが、他の実施形態では、３つの角または４つの角を部分的に縫合し指貫孔を設けていないものでも良い。
【００１５】  図１の実施形態では、四角であるが、他の実施形態では、四角以外にデザインしたものでも良い
【００１６】  図１の実施形態では、繰り返して使用しているが、他の実施形態では、使い捨てに作られたものでも良い。
【００１７】  図１の実施形態では、綿素材を使用しているが、他の実施形態では、化学繊維、不織布、紙などの素材を使用したものでも良い。
【００１８】  図１の実施形態では、雑巾２と３に同一の素材を組合せているが、他の実施形態では、異なる素材を組合せたものでも良い。
【００１９】  図１の実施形態では、雑巾２と３を縫合しているが、他の実施形態では、マジックテープ、ボタン、ホックなどを使用したものでも、ニットなどを一体に編込んだものでも良い。
【００２０】  図１の実施形態では、本体１は無地を使用しているが、他の実施形態では、模様、イラスト、アニメキャラクター、絵画、店名、コマーシャルなどを印刷、織込みまたは刺繍などの技法によりファッション性を取り入れたものでも良い。
【図面の簡単な説明】
【００２１】
【図１】この発明の一実施形態を示す斜視図である。
【図２】従来技術を示す斜視図である。
【符号の説明】
【００２２】１  本体        ２  雑巾        ３  雑巾
４  辺（上）    ５  辺（右）    ６  縫合
７  角          ８  開口部      ９  指貫孔
【図１】
2006043359.tif 000003
【図２】
2006043359.tif 000004
(57)【要約】【課題】家屋内で洋式のテーブル椅子は部屋を狭くし机をコンパクトに収納できない難点がある。テーブルや椅子を引越しのとき運びづらいし家屋を傷めるなどの欠点がある各種机も同様でコンパクトに収納し高さが調節できないなどの欠点がある。椅子に付いても同様である。【解決手段】高さの異なる脚セットを付け替え高さ調節する机。脚を取り外して分解収納をして用いる。簡易組み立て椅子は、高さ調節を、座布団でおこない部屋を有効活用する。【選択図】        図２
2006043357.tif 000002
【特許請求の範囲】
【請求項１】
高さの異なる脚セットを取り付け外し自在として高さ調節し分解収納が可能な特徴が有る机。
【請求項２】
座部と背もたれ部を簡易組み立てでき高さ調節を座布団等で行う特徴を持つ分解収納が可能な簡易組み立て椅子である。
【発明の詳細な説明】
【技術分野】
【０００１】本発明は、文机、学習机、座敷机、食器を載せる食膳机、簡易机等で机の高さが机の脚を机の台下部に脚を取り替えることにより高さが調節でき且つ脚を取り外してコンパクトに収納でき部屋を有効に使える机に関する技術に関するものと椅子の高さを座布団で調節する組み立て椅子に関するものである。
【背景技術】
【０００２】和洋折衷の家屋内で洋式のテーブル椅子は部屋を狭くし机をコンパクトに収納できない難点がある。テーブルや椅子を引越しのとき運びづらいし家屋を傷めるなどの欠点があった。また各種机も同様でコンパクトに収納し高さが調節しづらいなどの欠点があった。
椅子についても同様である。
【発明の開示】
【発明が解決しようとする課題】
【０００３】洋式の机と椅子やソファーが日本の家屋事情に即応していない難点がある。机椅子が家屋を傷める部屋を有効活用するのに難点がある。食膳部で食事をすれば仕舞いごとは楽である。テーブル椅子などは資源の無駄使いで粗大ゴミになる難点が従来品には、あった。それらの難点を解決する技術に関するものである。
【課題を解決するための手段】
【０００４】解決するための手段は机の天板台の下に金属又は木や合成樹脂等の机の脚をはずして収納して部屋を広く有効に使えるようにする且つ高さの異なる脚は、別に保管してある脚を複数枚あるものを取り替えれば机の高さは調節できる。椅子については、座布団で高さを調節して簡易組み立て椅子を使用します。一人用食事トレイで食事するのに板の間のときは座布団を敷き足脚の痺れない小座布団（出願中）で食事をして食後簡便に収納できる。また座敷机も同様にして用い簡易組み立て椅子は、座布団で高さを調節し。座敷机は脚の取替えにより学習机にも座敷机にもなる。普通４人家族であり１人前１２枚の座布団で４人のとき４８枚座布団があれば来客の複数の客人と座布団を分配して足脚の痺れない小座布団を大座布団の上に敷いてその上に座れば足が痺れない。なお食膳部に関しては、食事容器の転倒防止版トレイ（出願中）を使用できる。食膳にトレイを載せ容器転倒防止が可能で熱い容器に触れる事無く小鉢を使用して食べる定食型トレイなのでダイエットや食べすぎを防げる。
【発明の効果】
【０００５】分解収納が可能な机で部屋を有効に使用できる。簡易組み立て椅子で高さを座布団で調節可能な椅子なので家屋を傷めないで済む。引越しのとき便利。収納がし易い。
【発明を実施する最良の形態】
机の脚を取替え自在として丈夫な机の天板は、積み重ねておく。取替え可能の脚は、紙などに書いてそれぞれの机や脚に貼り付けておくか刻印しておくと良い。取り替えられる脚収納用部を別に保管する。簡易組み立て椅子は、座布団を積み重ね高さ調節が出来る。
【実施例１】
【０００６】座敷机に用いる脚（和式用）と座敷机上部と（学習机用脚）と引出しとスライド式嵌め込みの実施例の図は、奥で止まる構造になっています。材料は、金属製、木製、合成樹脂製など適宜使用してよい。
【実施例２】
【０００７】机は、重複するが例図を示す。簡易組み立て椅子は、座部と背もたれ部を組み立て取り外し自在でコンパクトに収納可能で高さ調節は、座布団で行います。
【産業上の利用可能性】資源の無駄が少なくなる。粗大ごみが減る。運搬が便利なので交通面でよい結果がでる。新しい需要が喚起される。板の間だけで座布団で座れるので家屋の構造が簡単にできる。
【図面の簡単な説明】
【０００８】
【図１】机の高さ調節を高さの異なる脚を組み立て着脱自在とした机の天板の裏面斜視図
【図２】簡易組み立て机の脚セット（高さの異なる脚セットで高さ調節）斜視図
【図３】机の高さ調節を高さの異なる脚を組み立て着脱自在とした折りたたみ机
【図４】机に嵌め込んで脚をスライドさせている斜視図。高さの異なるスライド脚を替えることにより座敷机に成ったり学習机に成ったり分解して収納ができ部屋を有効活用できる事を示す斜視図
【図５】椅子の高さを座布団でする簡易組み立て椅子の側面透視図
【符号の説明】
【０００９】１  机の天板
２  引出し
３  嵌め込み式スライディング脚
４  簡易組み立て椅子の座部
５  簡易組み立ていすの背もたれ部
６  点線部分は、背もたれ下部嵌め込み部
７  座布団
８  取り付けと取り外し自在の脚
９  ８を固定する雌ネジ
１０  ネジ穴
【図１】
2006043357.tif 000003
【図２】
2006043357.tif 000004
【図３】
2006043357.tif 000005
【図４】
2006043357.tif 000006
【図５】
2006043357.tif 000007
(57)【要約】      （修正有）【課題】雨で濡れた傘を掛けるだけで雨水をトレーに溜め、捨てるだけでよい。【解決手段】（イ）左右に球形体（Ｃ）を設けた横棒（１）が、下部に双方のスプリング（Ｂ）を設けた縦棒（２）に設ける。（ロ）底足（７）の上に台座（５）を設け、中央に穴（ア）を設けた張り板（６）と、くぼみ（イ）を設けた張り板（６ａ）を設ける。（ハ）台座（７）の間にトレー（３）を置いて設ける。【選択図】図１
2006043358.tif 000002
【特許請求の範囲】
【請求項１】
（イ）  左右に球形体（Ｃ）を設けた横棒（１）が、下部に双方のスプリング（Ｂ）を設        けた縦棒（２）に設ける。
（ロ）  底足（７）の上に台座（５）を設け、台座（５）間に、中央に穴（ア）を設けた        張り板（６）と、くぼみ（イ）を設けた張り板（６ａ）を設ける。
（ハ）  台座（５）の間にトレー（３）を置いて設ける。
以上の如く、構成した傘掛けである。
【発明の詳細な説明】
【技術分野】
【０００１】  本発明は、左右に球形体（Ｃ）を設けた横棒（１）が、下部に双方のスプリング（Ｂ）を設けな縦棒（２）に設け、Ｔの字状をした傘掛けに関するものである。
［背景技術］【０００２】  従来、筒状のものや、壺などを傘立てとしていた。
［発明の開示］
［発明が解決しようとする課題］【０００３】    次のような問題点があった。
筒状のものや、壺などは、雨水が底に溜まり、蚊の幼虫の繁殖場であった。
また、傘を複数立てたままにしておくことにより、湿気でカビの増殖場となり、大変不衛生であった。
［課題を解決するための手段］【０００４】（イ）  左右に球形体（Ｃ）を設けた横棒（１）が、下部に双方のスプリング（Ｂ）を設        けた縦棒（２）に設ける。
（ロ）  底足（７）の上に台座（５）を設け、中央に穴（ア）を設けた張り板（６）と、        くぼみ（イ）を設けた張り板（６ａ）を設ける。
（ハ）  台座（７）の間にトレー（３）を置いて設ける。
以上の如く、構成した傘掛けである。
［発明の効果］【０００５】  傘を掛けて吊すことにより、傘が外気にふれ、通気性がよくカビの増殖がない。
また、トレーに溜まった雨水を捨てることが出来るなめ、蚊の幼虫の繁殖がない。
［発明を実施するための最良の形態］【０００６】  以下、本発明の実施の形態について説明する。
（イ）  左右に球形体（Ｃ）を設けた横棒（１）が、下部に双方のスプリング（Ｂ）を          設けな縦棒（２）に設ける。
（ロ）  底足（７）の上に台座（５）を設け、中央に穴（ア）を設けな張り板（６）と          、くぼみ〈イ）を設けた張り板（６ａ）を設ける。
（ハ）  台座（５）の間にトレー（３）を置いて設ける。
なお、図１、図２に示すように、横棒（１）と縦棒（２）は、Ｔ形金具（４）で取り付け、ネジなどの正め具（ウ）で止められる。  そして、縦棒（２）を張り板（６）の穴（ア）に通し、その下にある張り板（６ａ）のくぼみ（イ）にはめ込んでおく。
また、縦棒（２）の下部に、？状の取り付け具（Ａ）を双方に設け、その取り付け具（Ａ）と、張り板（６）の裏側に設けな止め具（ウ）との間に、スプリング（Ｂ）を設け、双方から引き合った状態とする。  その状態が図３である。
図３に示すように、双方のスプリング（Ｂ）は引き合っているため、縦棒（２）と連結している横棒（１）は側面に向かって平行になって、横棒（１）が左右に移動してもスプリング（Ｂ）により、元の位置、即ち、側面にむかって図２のように平行になる。
本発明は横棒（１）と縦棒（２）により、Ｔの字状をしている。
本発明を使用する時は、玄関などに置いて使用する。
図４に示すように雨で濡れた傘（Ｄ）の柄（Ｅ）を横棒（１）に掛けるだけで傘（Ｄ）は吊り下がり、傘（Ｄ）から落ちる雨水（Ｆ）はトレー（３）に溜まる、溜まった雨水（Ｆ）はトレー（３）を外して捨てるだけでよいため、蚊の繁殖はない。
なお、掛けられた傘（Ｄ）は外気に触れているため、自然乾燥して傘（Ｄ）が清潔に保て、カビの増殖がない。    また、横棒（１）の左右に設けた球形体（Ｃ）は横棒（１）の角を安全に保つと共に、傘（Ｄ）の柄（Ｅ）を球形体（Ｃ）から滑り落ちないためである。  そして、傘（Ｄ）をとる時は、そのまま、柄（Ｅ）を持ってとることが出来るが、図５に示すように、手で横棒（１）を手前、または、横に移動させて傘（Ｄ）をとることが出来る。  そして、手を離すと横棒（１）はスプリング（Ｂ）により、図２、図４のように、元の位置にもどる。
【図面の簡単な説明】
【０００７】［図１］  本発明の分解斜視図
［図２］  本発明の組み上がり斜視図
［図３］  本発明の実施例を示す側面斜視図
［図４］  本発明の実施例を示す斜視図
［図５］  本発明の実施例を示す斜視図
【符号の説明】
【０００８】１  横棒      ２  縦棒      ３  トレー      ４  Ｔ型金具      ５  台座      ６、６ａ  張り板      ７  底足
Ａ  取り付け具      Ｂ  スプリング      Ｃ  球形体      Ｄ  傘      Ｅ  柄      Ｆ  雨水
ア  穴      イ  くぼみ      ウ  止め具
【図１】
2006043358.tif 000003
【図２】
2006043358.tif 000004
【図３】
2006043358.tif 000005
【図４】
2006043358.tif 000006
【図５】
2006043358.tif 000007
(57)【要約】      （修正有）【課題】手に持った時両サイドの重りが、にぎり手の位置より離れて、上部又は下部の位置になり、回す角度によって重力が変化するため、重、軽と交互に重さが加わり、まんべんなく筋力をつける事が出来る湾曲ダンベルの提供。【解決手段】湾曲ダンベルにおいて、シャフト２をジャバラ３でアールに曲げ形成することにより、そのアールの角度を自在に変化調整出来るようにした。【選択図】図１
2006043396.tif 000002
【特許請求の範囲】
【請求項１】
シャフトをアールに曲げ形成すると共にジャバラで、アールの角度を自在に調整出来る。以上の如く構成された湾曲ダンベル．
【発明の詳細な説明】
【発明の詳細な説明】
【０００１】〔発明の属する技術分野〕  本発明は、シャフトをアールに曲げ形成すると共に、ジャバラによって、そのアールの角度を自在に変化調整出来る。よって、手に持った時両サイドの重りが、にぎり手位置より離れて、上部又は、下部の位置になり、まわす角度によって、重力が変化する為、重、軽と交互に重さが加わり、まんべんなく、筋力をつける事が出来る湾曲ダンベルに関するものである。
【０００２】〔従来の技術〕  従来のダンベルは、シャフトが真っ直ぐである為両サイドの重りは常に、にぎり手と同じ位置にあり、どの角度にあっても、重力に変化がなく、決まった位置のみの筋力が養われるだけであった。
【０００３】〔発明が解決しょうとする課題〕  本発明は、シャフトをジャバラによって、アールの角度を自在に変化調整出来る。重りは、にぎり手より離れて、上部又は、下部にある為、まわる角度によって、重、軽と、重力が変化して加わる為、まんべんなく、筋力作りが出来、上記の課題を解決しょうとするものである。
【０００４】〔課題を解決する為の手段〕  その解決手段として、図を追いながら説明すると、１、（２）シャフトを（３）ジャバラでアールに曲げ形成する。
【０００５】〔実施例〕  以上の様な構造であり、これを使用すると、シャフトのジャバラにより、自在にアールの角度を変化調整出来る。そして、両サイドの重りは、にぎり手より離れ、上部、又は下部にあり、大きく回転する。さらに、まわる位置の角度により、重、軽、と、重力が変化する為、身体に最も良いショックをあたえ、柔軟な筋力をまんべんなく作ることが出来る。
【０００６】  さらに片方のおもりを上部に向けて持てば、サドウピッチィグの練習となる。アールにより、回転しやすく、又、大きく回転する為、遠心力が大きくなり、遠投する力が養なわれる。
【０００７】  このジャバラ式湾曲ダンベルをシャフト部分を固定化させて、形成する事も出来る。又、弾力を持たせる事も出来る。
【０００８】〔発明の効果〕  一つの回転の中で、まわる角度により重力が重くなったり軽くなったりする事で、筋力に良い影響をあたえる為、まんべんなく柔軟な筋力をつける事が出来た。
【図面の簡単な説明】
【図１】本発明湾曲ダンベルの見取図
【符号の説明】
１は、おもり２は、シャフト３は、ジャバラ
【図１】
2006043396.tif 000003
(57)【要約】      （修正有）【課題】圧力を肩背部と後頭部に分散させ快適な使用感を与え、頚椎牽引が有効な人が、家や車中等で手軽に頚椎牽引療法できる。つまり、一般の人から首の障害で従来の携帯座席枕が苦手な人に快適な旅行や、睡眠を、また、頚椎牽引の有効な人に簡易で便利な頚椎牽引機能を兼備した枕を提供する。【解決手段】一般に普及しているＵ字型など種々の形状の空気枕１を背当て枕２の頂部付近に収まる位置に、連結布３の長さを加減して取り付けたり、両面接着テープで着脱式や直に接着する等、様々な方法で取り付ける。【選択図】図１
2006043393.tif 000002
【特許請求の範囲】
【請求項１】
（イ）Ｕ字状等の上部枕（１）を背当枕（２）の頂部付近に収まるようにを組み合わせた、頚椎牽引具を兼ねた、座席及び就寝用の枕
【発明の詳細な説明】
【産業上の利用分野】
【０００１】  この発明は、頚椎牽引機能を兼備した、座席用及び就寝用枕の製造仕様に関するものである。
【背景技術】
【０００２】  座席用の枕は、一般的には塩化ビニールシートを二枚重ね合わせて接着し、Ｕ字形或いは円形状に形成した携帯式空気枕が、航空機、自動車、列車などの乗り物に乗っているときに、疲れを軽減するために使用されている。更に、空気枕を快適に使用するために、該空気枕に工夫を凝らしたものが提案されている。例えば、空気枕が直接当たらないように首部に当接する部分を突出させたもの（実開平２−４０２６３）や空気枕の使用中に該枕が外れたり、首に負担が掛からないように、ひも等で首部に固着可能としたもの（実公平４−３７５０５昭）等がある。
又、首に当たる部分にバイブレ−タ−やフードを付けたり、収納機能に工夫を加えたもの等があった。更に、近年、二段式の空気枕が考案され流通し、就寝用の二段式安眠枕として、本件出願人出願の実願平７−３４４６あるがいずれも下の枕を背当てとするには上下枕の位置関係が適切ではなかった
頚部の牽引具としては、特願平９−２０５１５２があったが、本発明は頸部にリング状に装着して頭部牽引の反発力の起点を僧帽筋腹としているため同筋圧迫による痛みや、症状の悪化が出現する欠点があり、本発明のように座席用と就寝用を兼ねた枕に牽引機能を持たせたものはかつてなかった。
【考案が解決しようとする課題】
【０００３】（イ）上記の従来の空気枕は頚部に集中して重みが掛かる構造の為、首の痛みや、椀神経にシビレを誘発、頚椎を圧迫されて起こる吐き気を起こす等の欠点があった。又、これらには、頚椎に牽引力を作用させる発想は無かった。
本発明は、これらの欠点を除き、頚部に掛かる圧力を肩背部と後頭部に分散させ、快適な使用感を与え、なおかつ頚椎に牽引力を作用させ車中や家庭で簡単に頚椎牽引療法が行える、座席用及び就寝用の枕提供の為になされたものである。
【課題を解決するための手段】
【０００４】  従来のＵ字や円筒状等の空気枕（１）を背当枕（２）の頂部付近に収まるように連結布等で取り付け、従来の座席枕を使用すると、首の痛みや腕のしびれ、吐き気などが出現する人や、一般の人に乗車時に使用させる。又、頚椎の障害の為、腕神経にシビレが出現する人や、肩こり症等、頚椎牽引療法の有効な人に乗車中や就寝中に牽引具として使用させる。
【作用】
【０００５】  本発明品を乗り物の座席で使用したとき、上部枕（１）が後頭部を背当て枕（２）が胸椎部を支える為、頚部に掛かる圧力がほとんど分散免荷される。又、背当て枕（２）の反発力が上部枕（１）を介して後頭部につたわり、頭部を上方に引っ張り上げるように作用し、軽椎に牽引力が働く。
【実施例】
【０００６】以下本発明の実施例について説明する
（イ）一般に普及しているＵ字型など種々の形状の空気枕（１）を背当て枕（２）の頂部付近に収まる位置に、連結布（３）の長さを加減して取り付けたり、両面接着テープで着脱式や直に接着する、あるいは、枕カバーに内蔵して等の様々な方法で取り付ける。
又、携帯しない就寝用で、空気枕では耐性不足の場合は中身を綿等の一般寝具素材で、あるいは空気枕と一般素材を組み合わせて作成する。
（ロ）これを、肩こり症や頚部の障害の為、頚部を圧迫されると首の痛み、肩こりの悪化、悪心が引き起こされる人の乗り物乗車中に、あるいは通常の睡眠中に使用させる。
（ニ）更には、頚部神経根の障害で腕神経にシビレ出現し就寝困難等、頚椎牽引が有効な人に頚椎牽引具として車中の座席や就寝中に使用させる。
本発明は以上のような構造であるから、従来の空気枕が共通して抱えていた、頚部に加重が集中して起こる症状の悪化を解消し、頚椎牽引が有効な人が、家や車中等で手軽に使用できる。つまり、一般の人から首の障害で従来の携帯座席枕が苦手な人に快適な旅行や、睡眠を、また、頚椎牽引の有効な人に簡易で便利な頚椎牽引用具を提供するもので、産業上の発展が期待できる
尚、以上のような構造の物は、図のように上部枕の片側を顎が乗せられように長くして牽引力を増すなど、上下両枕の形状を種々の形にする工夫、又、頭部枕を追加取り付ける等、変化応用が可能である。
【考案の効果】
【０００７】  首を圧迫されると具合が悪くなる人が、従来の空気枕使用で頚部に加重が集中して起こる症状の悪化を解消し、頚椎牽引が有効な人が、家や車中等で手軽に牽引療法ができる。
【図面の簡単な説明】
【図１】上部枕を重ねたと状態を上方から見た図である
【図２】上部枕を開いた状態を上方から見た図である
【図３】本品使用状態の側面図である
【符号の説明】
１      上部空気枕
２      背当て枕
３      連結布
４      あご支え部
【図１】
2006043393.tif 000003
【図２】
2006043393.tif 000004
【図３】
2006043393.tif 000005
(57)【要約】【課題】四肢の障害を持つ多くの人が杖を利用している。杖は少しの用事の時には、手放して置く事になるが、杖の材質は滑り、倒れる事が多い。其の為障害をもった人は、拾う動作の際にバランスを崩しやすく、転倒・骨折などの危険が発生する。簡便に手の届く範囲に、杖が倒れない発明をし、障害者の安全と自立支援をする。【解決手段】杖を、直立姿勢で手の正常作業域（前腕が弧を描く範囲）に立てるために、図３のような杖を把持するシステムを考案した。杖は５・６で形成される波形の、６の谷に挟み込まれる。図１の長形下１／２にはすべり止め３を施した。長形上１／２のビニール部分は、滑り止めに比べ摩擦抵抗が小さく、杖の挟み込みの導入が容易である。【選択図】        図３
2006043391.tif 000002
【特許請求の範囲】
【請求項１】
杖をちょっと置くため、滑り止めを施した平面取付けシステム。
【請求項２】
杖把持部分の波型
【請求項３】
滑り止めを、全長１０〜１２ｃｍの、１／２下方に施した。
【発明の詳細な説明】
【発明の詳細な説明】
【技術分野】
【０００１】杖を置いて用事をする時、杖が倒れる事を防止する。
【背景技術】
【０００２】従来、傘立てを利用していた例があるものの、他に同様の機能を有する物はない。
【発明が解決しようとする課題】
【０００３】身体障害者にとって杖は、整容に欠かせない身体の一部と言える。身近で手の届く位置にあること、杖が倒れない事が求められる。本発明はこの課題を解消するためになされたものである。
【課題を解決するための手段】
【０００４】軟性の波型に形成された空間に、垂直に杖を挟むことにより杖を把持できるようにした。滑り止めを施すことで確実に把持できるようにした。
【発明を実施するための最良の形態】
【０００５】以下、本発明の実施の形態について説明する。
（イ）厚さ１ｍｍのビニール  １４０ｍｍ×１２０ｍｍの２を、同ビニール４７ｍｍ×１２０ｍｍの基底部の１と接合させる事で両側に５の山、中央に６の谷ができる。谷の部分が杖を収め、両側の山部分が抱え込む。  図２
（ロ）長辺１４０ｍｍの１／２には７０ｍｍの、滑り止めの３を用いる事により把持力の安定を図った。  図３
【発明の効果】
【０００６】身体が不自由なため、杖による補いをしているが、杖の材質により杖は滑って倒れる。これを拾い上げる動作は、利用者にアンバランスが生じ転倒事故の引き金になる。本発明は手元に杖を固定しておく事により、安全と安心を得られる。
【図面の簡単な説明】
【図１】  本発明の正面図である。
【図２】  本発明の断面図である。
【図３】  本発明の仕様状態を示す立面図である。
【符号の説明】
１基底部
２ビニール
３滑り止め
４両面テープ
５山
６谷
７接合部
【図１】
2006043391.tif 000003
【図２】
2006043391.tif 000004
【図３】
2006043391.tif 000005
(57)【要約】      （修正有）【課題】パッケージされた錠剤薬を衛生的に取り出し服用出来る器具を提供する。【解決手段】凸部１を押し孔部２受皿３へ落ちる器具を特徴とする。           【選択図】図１
2006043399.tif 000002
【特許請求の範囲】
【請求項１】
パッケージされた錠剤を▲１▼と▲２▼に挟み片手で握り親指で押出し板▲１▼を押し▲２▼孔部に落ち▲３▼受皿で錠剤を受ける。
【発明の詳細な説明】
【発明の詳細な説明】
【０００１】（発明に属する技術分野）
この発明はパッケージされた錠剤（薬）を簡単に取り出し服用する事が出来るものである。
【０００２】（従来の技術）
両手で両親指を使って押出してゐた。
【０００３】（発明が解決しようとする課題）
従来の欠点は
▲１▼両手両親指を使う為力が必要。
▲２▼押出された錠剤が他所へ落ちる。
▲３▼落ちた錠剤を指で拾って服用する為非衛生である。
▲４▼手の不自由な方には思う様に押出せない。
【０００４】（課題を解決する為の手段）
従来はパッケージされた錠剤（薬）を両手親指で押へて錠剤を押出してゐた、その為指先に力が必要で、不自由な方老人の方等には苦労し、又錠剤が思う様に落ちない、又扮失したり、下に落したりして衛生的でない。
【０００５】（発明の実施の形態）
以下本発明の実施の形態について説明する。
此の図の▲１▼と▲２▼の間にパッケージされた錠剤を挾み、器具を握り▲１▼を親指で上から押へる事に依て
▲１▼凸部がパッケージを押し潰し錠剤が出て
▲２▼孔を通って▲３▼受皿（スプーン）に入る
複数の錠剤をこの工程を繰返す事によって受皿に貯め、一度に直接服用出来る。
受皿は左へスライド出来る。
【０００６】（発明の効果）
片手親指のみで、押出す事が出来、力が要らない。
押出された錠剤が他にこぼれる事がなく、衛生的であり、繰返す事により複数の錠剤を受皿に貯め直接口へ運ぶ事が出来る。
【図面の簡単な説明】（図１）
本発明分解断面図
（図２）
断面図
（図３）
平面図
（図４）
平面図（受皿が左側へスライド時）
（図５）
側面図（受皿が左側へスライド時）
【図１】
2006043399.tif 000003
【図２】
2006043399.tif 000004
【図３】
2006043399.tif 000005
【図４】
2006043399.tif 000006
【図５】
2006043399.tif 000007
(57)【要約】【課題】サンダル及び靴による足の指の病気を防止すること。【解決手段】サンダルの足の指の間に４つの突起物を取り付け装着ストッパーと突起物を分離させる。【選択図】図３
2006043369.tif 000002
【特許請求の範囲】
【請求項１】
水虫防止及び巻き爪防止及び外反母趾の防止で足の指の間に突起物で仕切り隙間をつくることを特徴とするサンダル。
【請求項２】
請求項１のサンダル突起物が軟質の特徴とする。
【請求項３】
請求項１のサンダル突起物が硬質の特徴とするサンダル。
【請求項４】
請求項１のサンダル突起物が円筒形状を特徴とする。
【請求項５】
請求項１のサンダル突起物がきのこ形状を特徴とする。
【請求項６】
請求項１のサンダル突起物が交換脱着式の特徴とする。
【請求項７】
請求項６のサンダル突起物が位置移動式の特徴とする。
【請求項８】
請求項１のサンダル突起物が４個の特徴とする。
【請求項９】
請求項１のサンダル突起物が装着ストッパーと離れている特徴とする。
【請求項１０】
請求項１のサンダル内側に磁石を取り付ける特徴とする。
【発明の詳細な説明】
【発明の詳細な説明】
【技術分野】
【０００１】本発明は、足の指に一定の隙間をつくるサンダル及びスリッパ及び靴の製造方法に関する。
【背景技術】
【０００２】従来のサンダルにおいては、足の指を覆うようにできていて、足の指を圧迫し通気性が不十分である。
【発明が解決しようとする課題】
【０００３】従来のサンダルでは、足の指の開きが少なくて通気性が悪くて足の指の隙間が乾燥しにくい問題点と鼻緒と装着ストッパーが一体化していて足の指の谷間の奥に隙間が無い問題点と、水虫予防の効果と巻き爪予防及び外反母趾の予防効果がない問題点がありました。
【課題を解決するための手段】
【０００４】上記の問題点を解決するために、本発明は、サンダル自体に指先が広がるように仕切り突起物を４個取り付け、装着ストッパーと突起物を分離させて、足の指が装着ストッパーに被さらないようにし、指の間に一定の隙間を確保させてことができる。
【発明を実施するための最良の形態】
【０００５】本発明は、足の指の間に仕切り突起物４個を取り付け装着ストッパーと突起物を分離させて足の裏面に磁石凸凹接地面があるものである。【０００６】上記装着ストッパーは足の指に被さらないようにすると通気性が優れ、汗の制御に効果的である。【０００７】また、突起物は足の指の大きさと長さに合わせて交換が脱着が可能が好ましい。【０００８】又、足の裏の接地面に磁石凸凹接地面を取り付けることにより、サンダル底部と足の裏の間に隙間をつくり通気性が優れ凸凹部と磁石がツボを刺激することによって血行をよくすることに効果的である。
【実施例】
【０００９】実施例について図面を参照して説明すると、図１は、使用者の足で図２図５の発明のサンダルを装着すると、図３図４図６で図２図５の突起物を足の指の隙間に４個取付けて足の裏の接地面に磁石凸凹接地面を取り付けて容易に製造することができる。
【発明の効果】
【００１０】本発明は以上説明したような形態で実施され、以下に記載されるような効果を奏する。
【００１１】サンダルの指先を広げることにより通気性が優れ足の指の間に汗の制御に効果的で水虫防止ができる。
【００１２】そして、足の指に水虫がすでにある場合は、足の指の間を広げることで感染防止ができる。
【００１３】又、サンダルの指先を広げることにより足の爪が圧迫されなくなり、巻き爪の防止及び外反母趾の防止ができる。
【００１４】サンダル底部と足の裏の間に隙間をつくり通気性が優れ凸凹部と磁石がツボを刺激することによって血行をよくすることに効果的である。
【図面の簡単な説明】
【００１５】
【図１】右足の表面図である。
【図２】本発明品の側面図である。
【図３】本発明の表面装着図である。
【図４】本発明の装着側面図である。
【図５】本発明の正面図である。
【図６】本発明の正面装着図である。
【図７】本発明の表面図である。
【符号の説明】
【００１６】  １    右足
２    親指
３    人差し指
４    中指
５    くすり指
６    小指
７    右足かかと
８    装着ストッッパー
９    装着底部
１０    発明の突起物
１１    磁石凹凸接地面
【図１】
2006043369.tif 000003
【図２】
2006043369.tif 000004
【図３】
2006043369.tif 000005
【図４】
2006043369.tif 000006
【図５】
2006043369.tif 000007
【図６】
2006043369.tif 000008
【図７】
2006043369.tif 000009
(57)【要約】【課題】室内で発生する揮発性汚染化学物質の分解除去と，室内の消臭・抗菌・防かびに関し，例えば室内の明るさなど，室内の諸条件に効果が左右されることなく，即効性と持続性を併せ持つ，人体に安全な室内コーティング溶剤とコーティング様式を提供する。【解決手段】室内コーティング溶剤として，フィトンチッド，酸化チタン，リン酸チタニア化合物を混合することにより浄化効果および即効性と持続性，そして適合性を高めるとともに，簡易な各種スプレー（エアゾールなど）によるコーティング皮膜形成を可能にした。【特許請求の範囲】
【請求項１】
室内空気の浄化を行う，酸化チタン，リン酸チタニア化合物，フィトンチッドによる室内コーティング溶剤。
【請求項２】
請求項１に記載の３成分に，銀イオンや，酸化亜鉛，酸化錫などの金属酸化物を混合する室内コーティング溶液。
【請求項３】
請求項１および２を充填した室内コーティング溶剤エアゾール。
【発明の詳細な説明】
【技術分野】
【０００１】本発明は，揮発性汚染化学物質の分解除去，および，消臭・抗菌・防かびに効果を発揮する，室内コーティング溶液に関する。
【背景技術】
【０００２】室内で発生する汚染化学物質が原因で発症する化学物質過敏症に対し，発症原因の汚染化学物質を捕らえて除去するための有効な手段が乏しく，室内空気を換気によって希釈する措置や，原因物質を発生する建材等を除去するなどの措置が行われているに過ぎない。【０００３】また，汚染化学物質の分解除去，および，消臭・抗菌・防かびに，即座に効果を発揮するとともに，長期に渡って効果を持続する有効な措置がない。
【発明の開示】
【発明が解決しようとする課題】
【０００４】本発明は，室内で発生する揮発性汚染化学物質の分解除去と，室内の消臭・抗菌・防かびに関し，例えば室内の明るさなど，室内の諸条件に効果が左右されることなく，即効性と持続性を併せ持つ，人体に安全な室内コーティング溶剤とコーティング様式を提供するものである。
【課題を解決するための手段】
【０００５】室内空気を浄化する室内コーティング溶剤の即効性成分として，多種類の天然植物の茎や葉などから，ごく微量に大気に放出されている成分を総称する，フィトンチッドに着目した。このフィトンチッドは，人間に適合するように複合的な働きをするのが特徴で，室内の消臭・抗菌・防かび，そして，室内で発生する揮発性汚染化学物質の分解除去の効用を有し，副作用のない環境に無害な物質である。【０００６】光の当たる明るい室内部分で，室内空気を長期に渡り浄化する室内コーティング溶剤の成分として，光触媒の酸化チタン（ＴｉＯ２）に着目した。この酸化チタンは，そのものの化学的な変化によるものでなく，光（紫外線）エネルギーにより活性化する光触媒として，光と水，酸素のある限り，強い酸化力のもとに，室内の消臭・抗菌・防かび，そして，室内で発生する揮発性汚染化学物質の分解除去を永続的に行う特性を有し，かつ，分解による副生物が，水と酸素という環境に無害な物質である。【０００７】光の届きにくい室内部分で，室内空気を長期に渡り浄化する室内コーティング溶剤の成分として，リン酸チタニア化合物（Ｔｉｔａｎｉｕｍ  ｐｈｏｓｐｂａｔｅ  ｃｏｍｐｏｕｎｄｓ）に着目した。酸化チタンが光（紫外線）を必要とする光触媒であるのに対し，このリン酸チタニア化合物は，酸素と水があれば活性化する触媒であり，酸化チタンと類似する特性を有し，強い酸化力のもとに，室内の消臭・抗菌・防かび，そして，室内で発生する揮発性汚染化学物質の分解除去を永続的に行い，かつ，分解による副生物が，水と酸素という環境に無害な物質である。【０００８】室内コーティング溶剤の成分として着目した，フィトンチッド，酸化チタン，リン酸チタニア化合物を混合することにより，室内空気の浄化効果の即効性と長期持続性と，例えば室内の明るさなどに効果が左右されない，適合性の高い室内コーティング溶剤を見出すとともに，それぞれを単体で用いた以上の相乗的な効果が認められ，優れた浄化効果を発揮することを発見するに至った。【０００９】室内コーティング溶剤の成分として，上記のフィトンチッド，酸化チタン，リン酸チタニア化合物のほかに，例えば，浄化目的の抗菌を強化するなどと特定し，銀イオンや，酸化亜鉛，酸化錫などの金属酸化物を追加混合することにより，より効果的な室内空気の浄化が行えることを確認するに至った。【００１０】本発明の室内コーティング溶剤は，例えば，天井，壁面などと，室内の空気が接する面に霧状に噴霧することによって，表面に室内の空気を浄化するコーティング皮膜を形成するもので，室内空気の浄化目的や用途面などを考察した上で，コーティング溶剤の噴霧を，エアーガンによる溶剤噴霧とともに，簡易な方式の各種スプレー（エアゾール）による溶剤噴霧を可能とするに至った。
【発明の効果】
【００１１】本発明の室内コーティング溶液は，室内で発生する汚染化学物質の分解除去，および，消臭・抗菌・防かびに，優れた浄化効果を有するもので，即効性と長期に渡る持続性を併せ持ち，例えば室内の明るさなどに効果が左右されない適合性の高い溶剤であり，浄化目的や用途に応じて，エアーガンによる溶剤噴霧とともに，簡易な方式の各種スプレーによる溶剤噴霧も行えることで，より広い活用が可能となり，より優れた室内空気浄化効果が発揮できる。
【発明を実施するための最良の形態】
【００１２】本発明の室内コーティング溶液は，より細かな霧状にして噴霧することで，コーティング皮膜を形成することができ，霧状噴霧可能なエアーガンや各種スプレー（エアゾール）を用い，例えば，天井，壁面などと，室内の空気が接する面に噴霧することにより，室内空気の浄化効果が得られる。
【実施例】
【００１３】一般住宅の玄関，廊下，キッチン，トイレ，風呂，居室のすべて，そして，下駄箱など，消臭・抗菌を行いたい家具内などに，本発明の室内コーティング溶液を噴霧し，コーティング皮膜を形成したところ，フィトンチッド，酸化チタン，リン酸チタニア化合物の効果により，快適な室内環境が得られた。【００１４】シックスクール問題で，厚生労働省が定めた室内汚染化学物質と濃度指針値を超えた教室に，本発明の室内コーティング溶液を噴霧し，コーティング皮膜を形成したところ，すべての室内汚染化学物質の濃度が指針値以下となり，快適な教室環境が得られた。